(57)【要約】【課題】  本発明は、少なくとも二つの縦長の物体を保持するための装置に関するものであり、物体が比較的大きな間隔で相互に保持され、繰返して装置から取除かれたり再度差込まれたりできるようにすることを、その課題とする。【解決手段】  これは、本装置が第一物体２６を固定するための受入れ部材４およびばね要素８，９，１２，１５，２２，２３を有し、一のばね要素は、その自由端に受入れ切片部１６および位置制御要素１７を構成する移動可能なロック舌部１５として構成され、第一物体の差込み時に、位置制御要素１７の第一物体へのコンタクトの際その自由端部は偏位位置へ移動し、第一物体の当り受け領域２０、２１への当接の際受入れ切片部１６は、ロック舌部１５およびそれでもって第二物体のために当り受けを形成する位置制御要素１７が静止位置に固定されるように第一物体を取囲むことにより達成される。【選択図】  図１
2007520673.tif 000002
【特許請求の範囲】
【請求項１】
少なくとも二つの縦長の物体を実質的に平行に配列して保持するための装置であって、物体の受入れのために受入れ空間を取囲む受入れ部材と、物体の固定のために受入れ部材と連結するばね要素とを有し、
該受入れ部材は受入れ部材へ最初に差込まれた第一物体が当接する当り受け領域を具備する装置において、
ばね要素が、受入れ部材（４）の長手方向を横切る方向に偏移位置と静止位置との間で移動可能なロック舌部（１５）として形成され、
該ロック舌部はその自由端に第一物体（２６）用の受入れ切片部（１６）と、受入れ切片部（１６）の差込み方向手前に位置し静止位置で受入れ空間（５）へ突出する位置制御要素（１７）とを具備し、第一物体２６の差込み時に、位置制御要素（１７）が第一物体（２６）とコンタクトすることによって、自由端は偏移位置へ移動し、そして当り受け領域（２０、２１）に第一物体２６が当接する時、ロック舌部（１５）が静止位置で固定されるよう、受入れ切片部（１６）は第一物体（２６）を取囲むよう構成されることを特徴とする装置。
【請求項２】
請求項１に記載の装置であって、受入れ切片部（１６）の第一物体（２６）に向く側が該当り受け領域（２０、２１）に相応した形状に構成されることを特徴とする装置。
【請求項３】
請求項１または２に記載の装置であって、該位置制御要素（１７）は、受入れ空間（５）へ突出する（くびれ）折曲り領域で互いに連続して延在するフロント切片部（１８）と背部切片部（１９）とを具備することを特徴とする装置。
【請求項４】
請求項１、２及び３のいずれかに記載の装置であって、該位置制御要素（１７）に対峙する少なくとも一の更なるばね要素（２２、２３）が具備されることを特徴とする装置。
【請求項５】
請求項１、２、３及び４のいずれかに記載の装置であって、該位置制御要素（１７）に対峙する前記少なくとも一のばね要素ないし各ばね要素（２２、２３）は、該位置制御要素（１７）の最高地点領域に対峙する突起部を有する対抗舌部（２２、２３）として構成されることを特徴とする装置。
【請求項６】
請求項５に記載の装置であって、少なくとも一の前記突起部ないし各突起部は、該受入れ空間（５）へ突出する折曲り領域で互いに連続して延在するフロント切片部（２４）と背部切片部（２５）によって構成されることを特徴とする装置。
【発明の詳細な説明】
【技術分野】
【０００１】
本発明は、実質的に平行に配列された少なくとも二つの縦長の物体を保持するための装置に係るものであり、物体の受入れのために受入れ空間を取囲む受入れ部材と、物体の固定のために受入れ部材と連結するばね要素とを有し、この受入れ部材は受入れ部材へ最初に差込まれた第一物体が当接する当り受け領域を具備する。
【背景技術】
【０００２】
この種の装置はドイツ国出願ＤＥ  ３０  ４２  ３０９  Ａ１［特許文献１］によって公知である。この装置は、ある差込み方向に例えばパイプラインやケーブルラインのような縦長の物体が差込まれることのできる、物体用の受入れ空間を取囲む受入れ部材を有する。受入れ部材の側壁部には受入れ空間の中央領域へ向く物体の差込み方向に互いに延在する柔軟な保持舌部（複数）が取付けられる。二つの物体の間に配列された保持舌部の端部（複数）は各物体を相互に間隔を持って保持し、受入れ空間を閉塞する保持舌部の端部（複数）は最後に差込まれた物体に当接する。すなわちこの装置でもって物体はほぼ保持舌部の厚さに相当する間隔で相互に保持される。
【特許文献１】ＤＥ  ３０  ４２  ３０９  Ａ１
【発明の開示】
【発明が解決しようとする課題】
【０００３】
それでも保持舌部の柔軟性及び相互に比較的近隣した配列のために、例えば激しい揺動の際には、物体が相互に移動し接触するという危険性が生じる。しかしこのことは、比較的傷付き易い物体にとって不利な点である。更なる不利な点としては、物体を再度装置から取除くことができない、あるいは破壊したりもしくは少なくとも保持舌部を損傷したりしてのみ装置から取除くことができるという点である。
【０００４】
本発明は、断面が比較的太い縦長の物体を比較的大きな間隔で相互に特に安定して保持することを特徴とし、安定した固定にもかかわらず物体を問題なく再び受入れ部材から取除くことのできる、冒頭に述べた種の装置を提供することをその課題とするものである。
【課題を解決するための手段】
【０００５】
この課題は、冒頭で述べた種の装置において、本発明により、ばね要素が受入れ部材の長手方向を横切る方向に偏移位置と静止位置との間で移動可能なロック舌部として形成され、このロック舌部はその自由端部に第一物体用の受入れ切片部および受入れ切片部の差込み方向手前に位置し静止位置で受入れ空間へ突出する位置制御要素（Anlenkelement）を具備し、第一物体の差込み時に、位置制御要素が第一物体とコンタクトすることによって、自由端部は偏移位置へ移動し、そして第一物体が当り受け領域に当接する時、ロック舌部が静止位置で固定されるよう、受入れ切片部が第一物体を取囲むよう構成されることにより、解決される。
【発明の効果】
【０００６】
本発明による装置で、最初に差込まれた物体によって静止位置で固定可能であり移動可能で位置制御要素を具備するロック舌部としてばね要素が形成されることによって、受入れ空間へ突出する位置制御要素は同様に固定される。これによって位置制御要素は、特にまた比較的大きな、例えば差込まれた物体の半分の直径に相当する間隔で、すでに差込まれた第一物体の前方に位置した固定の第二物体用の当り受け（Widerlager）を形成する。それにより物体はまた比較的大きな間隔で相互に非常に安定して保持される。更には、第二物体が受入れ部材から取除かれた後で、第一物体もまた位置制御要素をフリーにして問題なく取除き可能であるので、物体の差込みおよび取除き作業は、機能上の障害なく、思うがまま何度も繰返し可能となる。
【０００７】
本発明の目的に沿う実施態様は従属請求項に具体化されている。
【０００８】
本発明の更なる目的に沿う構成・実施形態は、図面と関連した実施態様の後述の詳細から明らかになる。
【発明を実施するための最良の形態】
【０００９】
図１は、メタルプレートを打抜き加工および曲げ加工した本発明による装置の実施態様を斜視図で示し、折曲げられ固定用穴１と固定用舌部２とで構成され図１に表示されない担持部材への固定のために取付けられる固定用部材３および図１に表示されない例えばメタル箔のような比較的傷付き易い被覆を有するケーブルのような二つの縦長の物体２６を受入れるための長手の受入れ部材４とが具備される。受入れ部材４は実質的にはＵ型の形状を呈し受入れ空間５を取囲む。受入れ部材４の一方の脚部は固定用部材３と結合する。
【００１０】
受入れ部材４の自由端部側の脚部には相互に対応して配置され長手方向に延び外方へ折曲げられた第一ガイドブリッジ６もしくは第二ガイドブリッジ７が形成される。第一ガイドブリッジ６の末端部領域ではばね要素として、差込み方向に上昇するすべり切片部１０および差込み方向に下降する当り受け（戻止め）切片部（Widerlagerabschnitt）１１でもって受入れ空間５へ突出する第一末端舌部８および第二末端舌部９が形成される。
【００１１】
固定用部材３と連結される脚部に形成された第二ガイドブリッジ７の中央部領域には別のばね要素として、同様に、受入れ空間５へ突出し差込み方向に上昇するすべり切片部１３および差込み方向に下降する当り受け（戻止め）切片部１４を有する中央舌部１２が具備される。
【００１２】
第一ガイドブリッジ６の差込み方向後方には中央にばね要素として、（図１に表示された）静止位置と偏移位置との間で移動するロック舌部１５が具備され、これはその自由端部に丸く曲げられた受入れ切片部１６と、受入れ切片部１６の差込み方向手前の静止位置で受入れ空間５へ突出する位置制御要素（Anlenkelement）１７とで構成される。位置制御要素１７は、表示された実施態様において、折曲り領域でそこで位置制御要素１７の最高地点領域を形成し、差込み方向に上昇するフロント切片部１８と差込み方向に下降する背部切片部１９とで構成される。受入れ切片部１６はロック舌部１５の静止位置において、受入れ部材４の脚部と結合し当り受け（Widerlagen）領域を形成する実質的に半円形上の末端曲部２０、２１と同心的に配列される。
【００１３】
更に、固定用部材３と結合される受入れ部材４の脚部に中央舌部１２の延長上両側で別のばね要素として、各々差込み方向に上昇するフロント切片部２４と差込み方向に下降する背部切片部２５とを備える第一対抗（当り受け）舌部２２と第二対抗（当り受け）舌部２３とが具備される。対抗（当り受け）舌部２２、２３のフロント切片部２４と背部切片部２５は、位置制御要素１７の最高地点領域に対峙する折曲げ領域で互いに連結して延在する。
【００１４】
図２は図１の実施態様において、縦長の第一物体２６が受入れ部材４の開口側から差込まれ、ロック舌部１５の位置制御要素１７の最高地点領域の範囲に位置する状態の断面図を示す。図２から、第一物体２６のこの配置で、移動可能なロック舌部１５は最大偏移の偏移位置にあるということがわかる。
【００１５】
図３は図１および２の実施態様において、第一物体２６が当り受け領域を形成する末端曲部２０、２１に当接する状態の断面図を示す。第一物体２６のこの配置で、ロック舌部１５は再度静止位置にあり、この際ロック舌部１５の受入れ切片部１６は形状結合（ありつぎ式係合：Formschluss）による末端曲部２０、２１の固定作用によって固定された第一物体２６を取囲むので、ロック舌部１５もまた固定される。更には反差込み方向に上昇する位置制御要素１７の背部切片部１９の保持作用のために第一当り受け舌部２２、２３の背部切片部２５が第一物体２６に当接する。
【００１６】
図４は図１、２および３の実施態様において、差込み方向に上昇する位置制御要素１７のフロント切片部１８に第二物体２７が当接する断面図を示す。ロック舌部１５の固定によって位置制御要素１７は、第二物体２７に最大の力を加えてもほとんど超越不可能な障害を形成するので、第二物体２７は第一物体２６から位置制御要素１７の位置に相応する間隔で末端舌部８、９の固定作用によって受入れ部材４に保持される。
【００１７】
図４からは更に、第二物体２６が取除かれた後で末端舌部８、９による対抗される抵抗を超越（克服）する際、第一物体２６もまた反差込み方向への移動によって、位置制御要素１７による対抗抵抗を克服した後に、受入れ部材４に損傷とか不具合をもたらすことなく、受入れ部材４から取除き可能であるということがわかる。これでもって、保持作用を妨げたり物体２６、２７を損傷することなく、物体２６、２７の差込みや取除き作業を思うがまま何度も繰返すことができる。
【図面の簡単な説明】
【００１８】
【図１】本発明による装置の一実施態様の斜視図。
【図２】図１に係る実施態様の断面図であり、ロック舌部の位置制御要素の領域に第一物体を差込んだ時の図。
【図３】図１及び２に係る実施態様の断面図であり、固定のロック舌部により当り受け領域に当接する第一物体を有する図。
【図４】図１、２及３に係る実施態様の断面図であり、位置制御要素に当接する第二物体を有する図。
【図１】
2007520673.tif 000003
【図２】
2007520673.tif 000004
【図３】
2007520673.tif 000005
【図４】
2007520673.tif 000006
【手続補正書】
【提出日】平成17年11月24日(2005.11.24)
【手続補正１】
【補正対象書類名】特許請求の範囲
【補正対象項目名】全文
【補正方法】変更
【補正の内容】
【特許請求の範囲】
【請求項１】
少なくとも二つの縦長の物体（２６、２７）を実質的に平行に配列して保持するための装置であって、物体（２６、２７）の受入れのために受入れ空間（５）を取囲む受入れ部材（４）と、物体（２６、２７）の固定のために受入れ部材４と連結するばね要素（複数）（８、９、１２、１５）とを有し、
該受入れ部材（４）は受入れ部材（４）へ最初に差込まれた第一物体（２６）が当接する当り受け領域（２０、２１）を具備し、
これらの前記ばね要素は受入れ部材（４）の長手方向を横切る方向に偏移位置と静止位置との間で移動可能なロック舌部（１５）として形成され、
該ロック舌部はその自由端部に第一物体（２６）に当接する受入れ切片部（１６）と、受入れ切片部（１６）の差込み方向手前に位置し静止位置で受入れ空間（５）へ突出する位置制御要素（１７）とを具備し、
第一物体（２６）の差込み時に該位置制御要素（１７）の第一物体（２６）へのコンタクトの際自由端部が偏移位置へ移動する装置において、
該ロック舌部（１５）の自由端部にある切片部は折返し曲げられた（umgebogenen）受入れ切片部（１６）であり、これは、第一物体（２６）が当り受け領域（２０、２１）に当接する時、ロック舌部（１５）が静止位置で固定されるよう、そして位置制御要素（１７）が各々物体（２６、２７）を受入れる受入れ空間（５）の二つの領域の間に配列されるよう、第一物体（２６）を取囲むこと
を特徴とする装置。
【請求項２】
請求項１に記載の装置であって、受入れ切片部（１６）の第一物体（２６）に向く側が該当り受け領域（２０、２１）に相応した形状に構成されることを特徴とする装置。
【請求項３】
請求項１または２に記載の装置であって、該位置制御要素（１７）は、受入れ空間（５）へ突出する（くびれ）折曲り領域で互いに連続して延在するフロント切片部（１８）と背部切片部（１９）とを具備することを特徴とする装置。
【請求項４】
請求項１、２及び３のいずれかに記載の装置であって、該位置制御要素（１７）に対峙する少なくとも一の更なるばね要素（２２、２３）が具備されることを特徴とする装置。
【請求項５】
請求項１、２、３及び４のいずれかに記載の装置であって、該位置制御要素（１７）に対峙する前記少なくとも一のばね要素ないし各ばね要素（２２、２３）は、該位置制御要素（１７）の最高地点領域に対峙する突起部を有する対抗舌部（２２、２３）として構成されることを特徴とする装置。
【請求項６】
請求項５に記載の装置であって、少なくとも一の前記突起部ないし各突起部は、該受入れ空間（５）へ突出する折曲り領域で互いに連続して延在するフロント切片部（２４）と背部切片部（２５）によって構成されることを特徴とする装置。
【手続補正２】
【補正対象書類名】明細書
【補正対象項目名】０００１
【補正方法】変更
【補正の内容】
【０００１】
本発明は、特許請求項１の上位概念に記載の、少なくとも二つの縦長の物体を保持するための装置に係るものである。
【手続補正３】
【補正対象書類名】明細書
【補正対象項目名】０００２
【補正方法】変更
【補正の内容】
【０００２】
この種の装置は英国出願ＧＢ−Ａ−２  ０９２  ２１６［特許文献１］によって公知である。この装置は物体のための受入れ空間を取囲む受入れ部材を具備する。この受入れ部材は、受入れ部材へ最初に差込まれた第一物体が当接する当り受け領域を有する。更には受入れ部材と連結するばね要素が物体の固定のために備えられる。この際ばね要素は、受入れ部材の長手方向を横切る方向に偏移位置と静止位置との間で移動可能なロック舌部として形成される。ロック舌部はその自由端部に第一物体に当接する切片部および受入れ切片部の差込み方向手前に位置して受入れ空間への静止位置の前方にある位置制御要素（Anlenkelement）を具備する。ここで、第一物体の差込み時に、位置制御要素が第一物体とコンタクトすることによって、自由端部は偏移位置へ移動する。これによって断面が比較的太い少数の物体とともに断面が比較的細い多数の物体を保持することが可能である。この際物体は常に相互に当接する。しかしながらこれは特に比較的傷付き易い物体にとって不利な点である。
【手続補正４】
【補正対象書類名】明細書
【補正対象項目名】０００３
【補正方法】変更
【補正の内容】
【０００３】
少なくとも二つの縦長の物体を保持するための別の装置は米国出願ＵＳ−Ａ−４，４３７，６３３［特許文献２］によって公知である。この装置は、ある差込み方向に例えばパイプラインやケーブルラインのような縦長の物体が差込められることのできる受入れ部材４を有する。受入れ部材の側壁部には受入れ空間の中央領域へ向けられ物体の差込み方向に相互に延びる柔軟な保持舌部が取付けられる。二つの物体の間に配列された保持舌部の端部は各物体を相互に間隔を持って保持し、受入れ空間を閉塞する保持舌部の端部は最後に差込められた物体に当接する。すなわちこの装置によって物体はほぼ保持舌部の厚さに相当する間隔に相互に保持される。
【特許文献１】    ＧＢ−Ａ−２  ０９２  ２１６
【特許文献２】    ＵＳ−Ａ−４，４３７，６３３
【発明の開示】
【発明が解決しようとする課題】
【手続補正５】
【補正対象書類名】明細書
【補正対象項目名】０００４
【補正方法】変更
【補正の内容】
【０００４】
それでも保持舌部の柔軟性及び相互に比較的近隣した配列のために、例えば激しい揺動の際には、物体が相互に移動し接触するという危険性が生じる。しかしこのことは、既に同類の装置で言及されているように、特に比較的傷付き易い物体にとって不利な点である。更なる不利な点としては、物体を装置から再度取除くことができない、あるいは破壊したりもしくは少なくとも保持舌部を損傷したりしてのみ装置から取除くことができるという点である。本発明は、断面が比較的太い縦長の物体を比較的大きな間隔で相互に特に安定して保持することを特徴とし、安定した固定にもかかわらず物体を問題なく再び受入れ部材から取除くことのできる、冒頭に述べた種の装置を提供することをその課題とするものである。
【手続補正６】
【補正対象書類名】明細書
【補正対象項目名】０００５
【補正方法】変更
【補正の内容】
【０００５】
この課題は、冒頭で述べた種の装置において、特許請求項１の特徴事項によって本発明により解決される。
【手続補正７】
【補正対象書類名】明細書
【補正対象項目名】０００６
【補正方法】変更
【補正の内容】
【０００６】
本発明による装置において、第一物体を少なくとも断片（部分）的に取囲む受入れ空間の固有の形状によって、ロック舌部は固定され、それにより第一物体の差込み後は移動できないということによって、およびロック舌部と結合される位置制御要素は二つの物体の間に配列されるということによって、物体はある間隔でもって非常に安定して信頼性をもって相互に保持される。
【手続補正８】
【補正対象書類名】明細書
【補正対象項目名】０００７
【補正方法】変更
【補正の内容】
【０００７】
本発明の目的に沿う実施態様は従属請求項に具体化されている。
【手続補正９】
【補正対象書類名】明細書
【補正対象項目名】０００８
【補正方法】変更
【補正の内容】
【０００８】
本発明の更なる目的に沿う構成・実施形態は、図面と関連した実施態様の後述の詳細から明らかになる。
【手続補正書】
【提出日】平成19年5月25日(2007.5.25)
【手続補正１】
【補正対象書類名】明細書
【補正対象項目名】全文
【補正方法】変更
【補正の内容】
【発明の詳細な説明】
【技術分野】
【０００１】
本発明は、特許請求項１の上位概念に記載の、少なくとも二つの縦長の物体を保持するための装置に係るものである。
【背景技術】
【０００２】
この種の装置は英国出願ＧＢ−Ａ−２  ０９２  ２１６［特許文献１］によって公知である。この装置は物体のための受入れ空間を取囲む受入れ部材を具備する。この受入れ部材は、受入れ部材へ最初に差込まれた第一物体が当接する当り受け領域を有する。更には受入れ部材と連結するばね要素が物体の固定のために備えられる。この際ばね要素は、受入れ部材の長手方向を横切る方向に偏移位置と静止位置との間で移動可能なロック舌部として形成される。ロック舌部はその自由端部に第一物体に当接する切片部および受入れ切片部の差込み方向手前に位置して受入れ空間への静止位置の前方にある位置制御要素（Anlenkelement）を具備する。ここで、第一物体の差込み時に、位置制御要素が第一物体とコンタクトすることによって、自由端部は偏移位置へ移動する。これによって断面が比較的太い少数の物体とともに断面が比較的細い多数の物体を保持することが可能である。
【０００３】
少なくとも二つの縦長の物体を保持するための別の装置は米国出願ＵＳ−Ａ−４，４３７，６３３［特許文献２］によって公知である。この装置は、ある差込み方向に例えばパイプラインやケーブルラインのような縦長の物体が差込められることのできる受入れ部材４を有する。受入れ部材の側壁部には受入れ空間の中央領域へ向けられ物体の差込み方向に相互に延びる柔軟な保持舌部が取付けられる。二つの物体の間に配列された保持舌部の端部は各物体を相互に間隔を持って保持し、受入れ空間を閉塞する保持舌部の端部は最後に差込められた物体に当接する。すなわちこの装置によって物体はほぼ保持舌部の厚さに相当する間隔に相互に保持される。
【特許文献１】ＧＢ−Ａ−２  ０９２  ２１６
【特許文献２】ＵＳ−Ａ−４，４３７，６３３
【発明の開示】
【発明が解決しようとする課題】
【０００４】
それでも保持舌部の柔軟性及び相互に比較的近隣した配列のために、例えば激しい揺動の際には、物体が相互に移動し接触するという危険性が生じる。しかしこのことは、比較的傷付き易い物体にとって不利な点である。更なる不利な点としては、物体を装置から再度取除くことができない、あるいは破壊したりもしくは少なくとも保持舌部を損傷したりしてのみ装置から取除くことができるという点である。本発明は、断面が比較的太い縦長の物体を比較的大きな間隔で相互に特に安定して保持することを特徴とし、安定した固定にもかかわらず物体を問題なく再び受入れ部材から取除くことのできる、冒頭に述べた種の装置を提供することをその課題とするものである。
【課題を解決するための手段】
【０００５】
この課題は、冒頭で述べた種の装置、すなわち、少なくとも二つの縦長の物体を実質的に平行に配列して保持するための装置であって、物体の受入れのために受入れ空間を取囲む受入れ部材と、物体の固定のために受入れ部材４と連結するばね要素（複数）とを有し、該受入れ部材は受入れ部材へ最初に差込まれた第一物体が当接する当り受け領域を具備し、これらの前記ばね要素は受入れ部材の長手方向を横切る方向に偏移位置と静止位置との間で移動可能なロック舌部として形成され、該ロック舌部はその自由端部に第一物体に当接する受入れ切片部と、受入れ切片部の差込み方向手前に位置し静止位置で受入れ空間へ突出する位置制御要素とを具備し、第一物体の差込み時に該位置制御要素の第一物体へのコンタクトの際自由端部が偏移位置へ移動する装置において、該ロック舌部の自由端部にある切片部は折返し曲げられた（umgebogenen）受入れ切片部であり、これは、第一物体が当り受け領域に当接する時、ロック舌部が静止位置で固定されるよう、そして位置制御要素が各々物体を受入れる受入れ空間の二つの領域の間に配列されるよう、第一物体を取囲むことを特徴とする装置により解決される。
【発明の効果】
【０００６】
本発明による装置において、第一物体を少なくとも断片（部分）的に取囲む受入れ空間の固有の形状によって、ロック舌部は固定され、それにより第一物体の差込み後は移動できないということによって、およびロック舌部と結合される位置制御要素は二つの物体の間に配列されるということによって、物体はある間隔でもって非常に安定して信頼性をもって相互に保持される。
【０００７】
本発明の目的に沿う実施態様は従属請求項に具体化されている。
【０００８】
すなわち上記装置は、受入れ切片部の第一物体に向く側が該当り受け領域に相応した形状に構成されることが好ましい。
【０００９】
また、該位置制御要素は、受入れ空間へ突出する（くびれ）折曲り領域で互いに連続して延在するフロント切片部と背部切片部とを具備することが好ましい。
【００１０】
また、該位置制御要素に対峙する少なくとも一の更なるばね要素が具備されることが好ましい。
【００１１】
また、該位置制御要素に対峙する前記少なくとも一のばね要素ないし各ばね要素は、該位置制御要素の最高地点領域に対峙する突起部を有する対抗舌部として構成されることが好ましい。
【００１２】
さらに、該位置制御要素に対峙する前記少なくとも一のばね要素ないし各ばね要素は、該位置制御要素の最高地点領域に対峙する突起部を有する対抗舌部として構成されることが好ましい。
【００１３】
本発明の更なる目的に沿う構成・実施形態は、図面と関連した実施態様の後述の詳細から明らかになる。
【発明を実施するための最良の形態】
【００１４】
図１は、メタルプレートを打抜き加工および曲げ加工した本発明による装置の実施態様を斜視図で示し、折曲げられ固定用穴１と固定用舌部２とで構成され図１に表示されない担持部材への固定のために取付けられる固定用部材３および図１に表示されない例えばメタル箔のような比較的傷付き易い被覆を有するケーブルのような二つの縦長の物体２６を受入れるための長手の受入れ部材４とが具備される。受入れ部材４は実質的にはＵ型の形状を呈し受入れ空間５を取囲む。受入れ部材４の一方の脚部は固定用部材３と結合する。
【００１５】
受入れ部材４の自由端部側の脚部には相互に対応して配置され長手方向に延び外方へ折曲げられた第一ガイドブリッジ６もしくは第二ガイドブリッジ７が形成される。第一ガイドブリッジ６の末端部領域ではばね要素として、差込み方向に上昇するすべり切片部１０および差込み方向に下降する当り受け（戻止め）切片部（Widerlagerabschnitt）１１でもって受入れ空間５へ突出する第一末端舌部８および第二末端舌部９が形成される。
【００１６】
固定用部材３と連結される脚部に形成された第二ガイドブリッジ７の中央部領域には別のばね要素として、同様に、受入れ空間５へ突出し差込み方向に上昇するすべり切片部１３および差込み方向に下降する当り受け（戻止め）切片部１４を有する中央舌部１２が具備される。
【００１７】
第一ガイドブリッジ６の差込み方向後方には中央にばね要素として、（図１に表示された）静止位置と偏移位置との間で移動するロック舌部１５が具備され、これはその自由端部に丸く曲げられた受入れ切片部１６と、受入れ切片部１６の差込み方向手前の静止位置で受入れ空間５へ突出する位置制御要素（Anlenkelement）１７とで構成される。位置制御要素１７は、表示された実施態様において、折曲り領域でそこで位置制御要素１７の最高地点領域を形成し、差込み方向に上昇するフロント切片部１８と差込み方向に下降する背部切片部１９とで構成される。受入れ切片部１６はロック舌部１５の静止位置において、受入れ部材４の脚部と結合し当り受け（Widerlagen）領域を形成する実質的に半円形上の末端曲部２０、２１と同心的に配列される。
【００１８】
更に、固定用部材３と結合される受入れ部材４の脚部に中央舌部１２の延長上両側で別のばね要素として、各々差込み方向に上昇するフロント切片部２４と差込み方向に下降する背部切片部２５とを備える第一対抗（当り受け）舌部２２と第二対抗（当り受け）舌部２３とが具備される。対抗（当り受け）舌部２２、２３のフロント切片部２４と背部切片部２５は、位置制御要素１７の最高地点領域に対峙する折曲げ領域で互いに連結して延在する。
【００１９】
図２は図１の実施態様において、縦長の第一物体２６が受入れ部材４の開口側から差込まれ、ロック舌部１５の位置制御要素１７の最高地点領域の範囲に位置する状態の断面図を示す。図２から、第一物体２６のこの配置で、移動可能なロック舌部１５は最大偏移の偏移位置にあるということがわかる。
【００２０】
図３は図１および２の実施態様において、第一物体２６が当り受け領域を形成する末端曲部２０、２１に当接する状態の断面図を示す。第一物体２６のこの配置で、ロック舌部１５は再度静止位置にあり、この際ロック舌部１５の受入れ切片部１６は形状結合（ありつぎ式係合：Formschluss）による末端曲部２０、２１の固定作用によって固定された第一物体２６を取囲むので、ロック舌部１５もまた固定される。更には反差込み方向に上昇する位置制御要素１７の背部切片部１９の保持作用のために第一当り受け舌部２２、２３の背部切片部２５が第一物体２６に当接する。
【００２１】
図４は図１、２および３の実施態様において、差込み方向に上昇する位置制御要素１７のフロント切片部１８に第二物体２７が当接する断面図を示す。ロック舌部１５の固定によって位置制御要素１７は、第二物体２７に最大の力を加えてもほとんど超越不可能な障害を形成するので、第二物体２７は第一物体２６から位置制御要素１７の位置に相応する間隔で末端舌部８、９の固定作用によって受入れ部材４に保持される。
【００２２】
図４からは更に、第二物体２７が取除かれた後で末端舌部８、９による対抗される抵抗を超越（克服）する際、第一物体２６もまた反差込み方向への移動によって、位置制御要素１７による対抗抵抗を克服した後に、受入れ部材４に損傷とか不具合をもたらすことなく、受入れ部材４から取除き可能であるということがわかる。これでもって、保持作用を妨げたり物体２６、２７を損傷することなく、物体２６、２７の差込みや取除き作業を思うがまま何度も繰返すことができる。
【図面の簡単な説明】
【００２３】
【図１】本発明による装置の一実施態様の斜視図。
【図２】図１に係る実施態様の断面図であり、ロック舌部の位置制御要素の領域に第一物体を差込んだ時の図。
【図３】図１及び２に係る実施態様の断面図であり、固定のロック舌部により当り受け領域に当接する第一物体を有する図。
【図４】図１、２及３に係る実施態様の断面図であり、位置制御要素に当接する第二物体を有する図。
【国際調査報告】
2007520673.tif 000007
2007520673.tif 000008
2007520673.tif 000009
2007520673.tif 000010